(57)【要約】【課題】例えば古い防水シートの取り外しを簡単に行なえ、且つ新しいシートの取り付けも簡単に行なえるようにした複合ねじを提供する。【解決手段】軸部２の長さ方向一端に鍔部３を備え、軸部２の長さ方向他端側より長さ方向一端側に向って適当長さ範囲に亘って雄ねじ部４が形成され、前記軸部２の長さ方向一端側部分より長さ方向他端側に向って適当長さ範囲に亘って前記鍔部３の中心で開口する雌ねじ孔部５が形成されてなる基礎ねじ体１と、この基礎ねじ体１の雌ねじ孔部５に螺合する雄ねじ軸７の長さ方向一端側に鍔部８を備え、この鍔部８に締め付け治具との係合凹部９が形成された締め付けねじ体６とからなる複合ねじ。【選択図】図１
2010048261.tif 000002
【特許請求の範囲】
【請求項１】
軸部の長さ方向一端に鍔部を備え、軸部の長さ方向他端側より長さ方向一端側に向って適当長さ範囲に亘って雄ねじ部が形成され、前記軸部の長さ方向一端側部分より長さ方向他端側に向って適当長さ範囲に亘って前記鍔部の中心で開口する雌ねじ孔部が形成されてなる基礎ねじ体と、この基礎ねじ体の雌ねじ孔部に螺合する雄ねじ軸の長さ方向一端側に鍔部を備え、この鍔部に締め付け治具との係合凹部が形成された締め付けねじ体とからなることを特徴とする複合ねじ。
【発明の詳細な説明】
【技術分野】
【０００１】
本発明は、基礎ねじ体と、この基礎ねじ体の雌ねじ部に螺合する締め付けねじ体とからなる複合ねじに関するものである。
【背景技術】
【０００２】
従来から例えば集合住宅のバルコニーにおいて、コンクリートの躯体の床面に防水シートをシート固定金具を介して取り付ける場合、上端に締め付け治具との係合凹部が形成された鍔部を一体に備えた雄ねじ部材を用い、この雄ねじ部材で床面に固定されたシート固定金具に防水シートを支持固定しているのが現状である。
【発明の開示】
【発明が解決しようとする課題】
【０００３】
上記のような鍔部を一体に備えた雄ねじ部材を用いてシート固定金具を床面に固定してあると、改修工事を行なうとき、古い防水シートを取り外すのに古い防水シートをシート固定金具から外して床面から剥し、その後複数箇所における雄ねじ部材を締め付け時とは逆方向に回して古くなったシート固定金具を床面から外し、新しいシート固定金具を床面に固定し、その後この新しいシート固定金具に新しい防水シートを支持固定させるのが正規の手順であるが、躯体の床面から複数箇所の雄ねじ部材を逆転させて外す手間が大変であり、古いシート固定金具を床面に残したまま古いシート固定金具の上から新しいシート固定金具を重ねるように位置させて新しいシート固定金具を躯体の床面に雄ねじ部材で取り付け、その上から新しい防水シートを支持固定させている場合が多く見受けられる。
【０００４】
しかしながら、躯体の床面に対し古いシート固定金具の上から新しいシート固定金具を重ねて取り付けるにも１度だけなら可能であるが、３層、４層にシート固定金具を重ねるにも工事に限界があるという問題があった。また、古いシート固定金具の上から新しいシート固定金具を重ねる度に躯体の床面に対し古いシート固定金具のねじ止め位置からずらした位置でねじを打ち込まなければならず、作業性が悪いという問題や、ねじの打ち込み箇所が多くなるほど躯体の強度が低下するという問題があった。
【０００５】
本発明の目的は、このような課題を解決するものであり、例えば上記のような古い防水シートの取り外しを簡単に行なえ、且つ新しいシートの取り付けも簡単に行なえるようにした複合ねじを提供することにある。
【課題を解決するための手段】
【０００６】
本発明の請求項１に記載の複合ねじは、軸部の長さ方向一端に鍔部を備え、軸部の長さ方向他端側より長さ方向一端側に向って適当長さ範囲に亘って雄ねじ部が形成され、前記軸部の長さ方向一端側部分より長さ方向他端側に向って適当長さ範囲に亘って前記鍔部の中心で開口する雌ねじ孔部が形成されてなる基礎ねじ体と、この基礎ねじ体の雌ねじ孔部に螺合する雄ねじ軸の長さ方向一端側に鍔部を備え、この鍔部に締め付け治具との係合凹部が形成された締め付けねじ体とからなることを特徴とする。
【発明の効果】
【０００７】
以上のように、本発明の複合ねじは、基礎ねじ体を例えば躯体の床面に螺入させておくことにより、基礎ねじ体から締め付けねじ体を緩めて外すことにより古いシートの取り外しを簡単に行なえ、また新しいシートの取り付けは締め付けねじ体を基礎ねじ体に螺入させて締め付けることにより簡単に行なえるものであり、このシートの取り付け以外に他の用途にも幅広く利用して効果を発揮する。
【発明を実施するための最良の形態】
【０００８】
以下、本発明の一実施の形態を、図１〜図５を用いて具体的に説明する。
図において、１は軸部２の長さ方向一端に鍔部３を備え、軸部２の長さ方向他端側より長さ方向一端側に向って適当長さ範囲に亘って雄ねじ部４が形成され、前記軸部２の長さ方向一端側部分より長さ方向他端側に向って適当長さ範囲に亘って前記鍔部３の中心で開口する雌ねじ孔部５が形成されてなる基礎ねじ体である。６はこの基礎ねじ体１の雌ねじ孔部５に螺合する雄ねじ軸７の長さ方向一端側に鍔部８を備え、この鍔部８に締め付け治具との係合凹部９が形成された締め付けねじ体である。
【０００９】
このような基礎ねじ体１と締め付けねじ体６とからなる複合ねじを用いて例えば集合住宅のバルコニー１０において、コンクリートの躯体の床面１１に防水シート１２を取り付ける場合、先ず予めシート固定金具１３の取り付け位置となる床面１１に締め付けねじ体６が組み合わされた状態で基礎ねじ体１をねじ込み、基礎ねじ体１から締め付けねじ体６を外しておく。なお、床面１１に対し基礎ねじ体１の鍔部８は床面１１上に突出しないようにねじ込まれる。締め付けねじ体６が外された状態の基礎ねじ体１の鍔部８の上にシート固定金具１３を位置合わせして前記締め付けねじ体６の雄ねじ軸７を雌ねじ孔部５に螺合させて締め付ける。このようにして床面１１に取り付けられたシート固定金具１３の上から防水シート１２を床面１１に敷いて、防水シート１２をシート固定金具１３に支持させる。
【００１０】
以上のような工程により防水シート１２の取り付けがなされるのであるが、古い防水シート１２の取り替えの改修工事の際は、古い防水シート１２をシート固定金具１３から剥し、締め付けねじ体６を基礎ねじ体１から外して古いシート固定金具１３を取り除き、基礎ねじ体１の鍔部８の上に新しいシート固定金具１３を位置合わせして前記締め付けねじ体６の雄ねじ軸７を雌ねじ孔部５に螺合させて締め付ける。このようにして床面１１に取り付けられた新しいシート固定金具１３の上から新しい防水シート１２を床面１１に敷いて、新しい防水シート１２を新しいシート固定金具１３に支持させれば良い。つまり、上記のような基礎ねじ体１と締め付けねじ体６とからなる複合ねじによれば、改修工事が何度行なわれても、複合ねじを有効に利用できることになる。
【００１１】
なお、以上述べた実施の形態は複合ねじにより躯体の床面１１に防水シート１２を取り付ける場合であるが、複合ねじの用途は防水シート１２の取り付けに限定されるものではない。
【図面の簡単な説明】
【００１２】
【図１】本発明の一実施の形態における複合ねじの分解斜視図である。
【図２】同複合ねじの基礎ねじ体と締め付けねじ体を組み合わせた状態を示す斜視図である。
【図３】同複合ねじの要部切り欠き正面図である。
【図４】同防水シートの敷設のために複合ねじを用いてシート固定金具を躯体床面に取り付ける状態を示す要部拡大図である。
【図５】同躯体床面に取り付けられたシート固定金具の上から防水シートを敷設した状態を示す要部拡大図である。
【符号の説明】
【００１３】
１    基礎ねじ体
２    軸部
３    鍔部
４    雄ねじ部
５    雌ねじ孔部
６    締め付けねじ体
７    雄ねじ軸
８    鍔部
９    係合凹部
１０    バルコニー
１１    床面
１２    防水シート
１３    シート固定金具
【図１】
2010048261.tif 000003
【図２】
2010048261.tif 000004
【図３】
2010048261.tif 000005
【図４】
2010048261.tif 000006
【図５】
2010048261.tif 000007